(57)【要約】【課題】重勝式レースに対して多くの投票を行った投票者が投票結果を確認する労力を低減させることができ、投票者の投票結果への期待感を向上させることができる重勝式レース結果表示制御装置を提供する。【解決手段】重勝式レースの結果を表示するための表示装置の制御を行う重勝式レース結果表示制御装置８０であって、あるレース結果が確定すると、少なくとも一つの確定したレースのレース結果および投票者を識別する識別情報と対応付けられた投票履歴から、レースの確定時点におけるその投票者の残票状況を算出する残票状況算出部８１と、確定したレースのレース結果及び算出されたその投票者の残票状況の表示を表示装置に対して指示する表示指示部８２とを備えている。【選択図】図６
2016110190.tif 000002
【特許請求の範囲】
【請求項１】
重勝式レースの結果を表示するための表示装置の制御を行う重勝式レース結果表示制御装置であって、
あるレース結果が確定すると、少なくとも一つの確定したレースのレース結果およびレースに投票をする投票者を識別する識別情報と対応付けられた投票履歴から、レースの確定時点における当該投票者の残票状況を算出する残票状況算出部と、
前記確定したレースのレース結果及び前記残票状況算出部が算出した当該投票者の残票状況の表示を前記表示装置に対して指示する表示指示部とを備えた
ことを特徴とする重勝式レース結果表示制御装置。
【請求項２】
表示指示部は、確定したレースまで投票内容が一致している全ての投票数である全残票数の表示を表示装置に対して指示する
請求項１記載の重勝式レース結果表示制御装置。
【請求項３】
表示指示部は、投票者の残票状況として、確定したレースまで投票内容が一致している投票を示す残票の有無、前記残票の数、および、前記残票のうち残りの投票内容を示す情報の少なくとも１つ以上の情報の表示を表示装置に対して指示する
請求項１または請求項２記載の重勝式レース結果表示制御装置。
【請求項４】
表示指示部は、前記重勝式レースのレース結果に一致する投票履歴が投票者の投票履歴に存在する場合、最終レースまで確定した重勝式レースのレース結果に対応する払戻金情報から当該投票者の払戻金を算出して、当該払戻金の表示を表示装置に対して指示する
請求項１から請求項３のうちのいずれか１項に記載の重勝式レース結果表示制御装置。
【請求項５】
表示指示部は、算出された払戻金の額を投票者の有する残高に加算して表示する指示を表示装置に対して行う
請求項４記載の重勝式レース結果表示制御装置。
【請求項６】
表示指示部は、他の装置から受信した投票者の投票履歴に基づいて、当該投票者の残票状況を表示する指示を表示装置に対して行う
請求項１から請求項５のうちのいずれか１項に記載の重勝式レース結果表示制御装置。
【請求項７】
重勝式レースの結果を表示するための表示装置の制御を行う重勝式レース結果表示制御装置と、
投票処理を行う投票処理システムとを備え、
前記投票処理システムは、
対象とする重勝式レースにおいて確定したレースのレース結果と、当該確定したレースまで投票内容が一致している全ての投票数である全残票数とを前記重勝式レース結果表示制御装置に送信する制御部を含み、
前記重勝式レース結果表示制御装置は、
あるレース結果が確定すると、少なくとも一つの確定したレースのレース結果およびレースに投票をする投票者を識別する識別情報と対応付けられた投票履歴から、レースの確定時点における当該投票者の残票状況を算出する残票状況算出部と、
前記確定したレースのレース結果及び前記残票状況算出部が算出した当該投票者の残票状況の表示を前記表示装置に対して指示する表示指示部とを含む
ことを特徴とする投票結果表示制御システム。
【請求項８】
重勝式レースの結果を表示するための表示装置の制御を行う重勝式レース結果表示制御方法であって、
あるレース結果が確定すると、少なくとも一つの確定したレースのレース結果およびレースに投票をする投票者を識別する識別情報と対応付けられた投票履歴から、レースの確定時点における当該投票者の残票状況を算出し、
前記確定したレースのレース結果及び算出された当該投票者の残票状況の表示を前記表示装置に対して指示する
ことを特徴とする重勝式レース結果表示制御方法。
【請求項９】
確定したレースまで投票内容が一致している全ての投票数である全残票数の表示を表示装置に対して指示する
請求項８記載の重勝式レース結果表示制御方法。
【請求項１０】
投票処理を行う投票処理システムが、対象とする重勝式レースにおいて確定したレースのレース結果と、当該確定したレースまで投票内容が一致している全ての投票数である全残票数とを、重勝式レースの結果を表示するための表示装置の制御を行う重勝式レース結果表示制御装置に送信し、
前記重勝式レース結果表示制御装置が、あるレース結果が確定すると、少なくとも一つの確定したレースのレース結果およびレースに投票をする投票者を識別する識別情報と対応付けられた投票履歴から、レースの確定時点における当該投票者の残票状況を算出し、
前記重勝式レース結果表示制御装置が、確定したレースのレース結果及び算出された当該投票者の残票状況の表示を前記表示装置に対して指示する
ことを特徴とする投票結果表示制御方法。
【請求項１１】
重勝式レースの結果を表示するための表示装置の制御を行うコンピュータに適用される重勝式レース結果表示制御プログラムであって、
前記コンピュータに、
あるレース結果が確定すると、少なくとも一つの確定したレースのレース結果およびレースに投票をする投票者を識別する識別情報と対応付けられた投票履歴から、レースの確定時点における当該投票者の残票状況を算出する残票状況算出処理、および、
前記確定したレースのレース結果及び前記残票状況算出処理で算出された当該投票者の残票状況の表示を前記表示装置に対して指示する表示指示処理
を実行させるための重勝式レース結果表示制御プログラム。
【請求項１２】
コンピュータに、
表示指示処理で、確定したレースまで投票内容が一致している全ての投票数である全残票数の表示を表示装置に対して指示させる
請求項１１記載の重勝式レース結果表示制御プログラム。
【発明の詳細な説明】
【技術分野】
【０００１】
本発明は、重勝式レースの結果表示を制御する重勝式レース結果表示制御装置、重勝式レース結果表示制御方法および重勝式レース結果表示制御プログラム、並びに、投票結果表示制御システムおよび投票結果表示制御方法に関する。
【背景技術】
【０００２】
公営競技には、様々な投票法が存在する。例えば、競馬の場合、勝馬投票法には、単勝式、複勝式、連勝単式及び連勝複式（以下、基本勝馬投票法と記す。）並びに重勝式の種類が存在する。重勝式は、同一日の二以上のレースについて同一の基本勝馬投票法により勝馬となったものを一組としたものを的中組番とする方式をいう。
【０００３】
重勝式では、対象とする全てのレースが終了するまで的中結果は確定しない。そこで、的中結果が出るまでの期待感を高めるために、重勝式レースの各レースが確定するごとに残票を表示する方法が知られている。
【０００４】
特許文献１には、公営競技の投票者に対して情報提供を行う装置が記載されている。特許文献１に記載された装置は、重勝賭式の場合に各レースの確定ごとに的中の可能性のある投票数を的中残票として求め、各競走体の全体の的中残票を表示する。
【先行技術文献】
【特許文献】
【０００５】
【特許文献１】特開２００６−１０６９６３号公報
【発明の概要】
【発明が解決しようとする課題】
【０００６】
しかし、特許文献１に記載された方法により、重勝式の各レースが確定するごとに全体の的中残票が表示されたとしても、投票者は、自身が購入した投票券をレース結果と比較して投票が的中しているか判断しなければならない。特に、多くの投票をした投票者にとって、多くの投票券を参照しながら的中の有無を確認する作業は、非常に骨の折れる作業である。
【０００７】
そこで、本発明は、重勝式レースに対して多くの投票を行った投票者が投票結果を確認する労力を低減させることができ、投票者の投票結果への期待感を向上させることができる重勝式レース結果表示制御装置、重勝式レース結果表示制御方法および重勝式レース結果表示制御プログラム、並びに、投票結果表示制御システムおよび投票結果表示制御方法を提供することを目的とする。
【課題を解決するための手段】
【０００８】
本発明による重勝式レース結果表示制御装置は、重勝式レースの結果を表示するための表示装置の制御を行う重勝式レース結果表示制御装置であって、あるレース結果が確定すると、少なくとも一つの確定したレースのレース結果およびレースに投票をする投票者を識別する識別情報と対応付けられた投票履歴から、レースの確定時点における当該投票者の残票状況を算出する残票状況算出部と、確定したレースのレース結果及び残票状況算出部が算出したその投票者の残票状況の表示を表示装置に対して指示する表示指示部とを備えたことを特徴とする。
【０００９】
本発明による投票結果表示制御システムは、重勝式レースの結果を表示するための表示装置の制御を行う重勝式レース結果表示制御装置と、投票処理を行う投票処理システムとを備え、投票処理システムが、対象とする重勝式レースにおいて確定したレースのレース結果と、その確定したレースまで投票内容が一致している全ての投票数である全残票数とを重勝式レース結果表示制御装置に送信する制御部を含み、重勝式レース結果表示制御装置が、あるレース結果が確定すると、少なくとも一つの確定したレースのレース結果およびレースに投票をする投票者を識別する識別情報と対応付けられた投票履歴から、レースの確定時点におけるその投票者の残票状況を算出する残票状況算出部と、確定したレースのレース結果及び残票状況算出部が算出したその投票者の残票状況の表示を表示装置に対して指示する表示指示部とを含むことを特徴とする。
【００１０】
本発明による重勝式レース結果表示制御方法は、重勝式レースの結果を表示するための表示装置の制御を行う重勝式レース結果表示制御方法であって、あるレース結果が確定すると、少なくとも一つの確定したレースのレース結果およびレースに投票をする投票者を識別する識別情報と対応付けられた投票履歴から、レースの確定時点におけるその投票者の残票状況を算出し、確定したレースのレース結果及び算出されたその投票者の残票状況の表示を表示装置に対して指示することを特徴とする。
【００１１】
本発明による投票結果表示制御方法は、投票処理を行う投票処理システムが、対象とする重勝式レースにおいて確定したレースのレース結果と、その確定したレースまで投票内容が一致している全ての投票数である全残票数とを、重勝式レースの結果を表示するための表示装置の制御を行う重勝式レース結果表示制御装置に送信し、重勝式レース結果表示制御装置が、あるレース結果が確定すると、少なくとも一つの確定したレースのレース結果およびレースに投票をする投票者を識別する識別情報と対応付けられた投票履歴から、レースの確定時点におけるその投票者の残票状況を算出し、重勝式レース結果表示制御装置が、確定したレースのレース結果及び算出されたその投票者の残票状況の表示を表示装置に対して指示することを特徴とする。
【００１２】
本発明による重勝式レース結果表示制御プログラムは、重勝式レースの結果を表示するための表示装置の制御を行うコンピュータに適用される重勝式レース結果表示制御プログラムであって、コンピュータに、あるレース結果が確定すると、少なくとも一つの確定したレースのレース結果およびレースに投票をする投票者を識別する識別情報と対応付けられた投票履歴から、レースの確定時点におけるその投票者の残票状況を算出する残票状況算出処理、および、確定したレースのレース結果及び残票状況算出処理で算出されたその投票者の残票状況の表示を表示装置に対して指示する表示指示処理を実行させることを特徴とする。
【発明の効果】
【００１３】
本発明によれば、重勝式レースに対して多くの投票を行った投票者が投票結果を確認する労力を低減させることができ、投票者の投票結果への期待感を向上させることができる。
【図面の簡単な説明】
【００１４】
【図１】本発明による重勝式レース結果表示装置の一実施形態を示すブロック図である。
【図２】結果表示画面の例を示す説明図である。
【図３】結果表示画面の他の例を示す説明図である。
【図４】重勝式レース結果表示装置の動作例を示すフローチャートである。
【図５】本発明による重勝式レース結果表示装置の変形例を示すブロック図である。
【図６】本発明による重勝式レース結果表示制御装置の概要を示すブロック図である。
【図７】本発明による投票結果表示制御システムの概要を示すブロック図である。
【発明を実施するための形態】
【００１５】
以下、本発明の実施形態を図面を参照して説明する。
【００１６】
図１は、本発明による重勝式レース結果表示装置の一実施形態を示すブロック図である。本実施形態の重勝式レース結果表示装置２０は、公営競技における重勝式レースの結果を表示する装置であり、例えば、タブレット端末により実現される。ただし、重勝式レース結果表示装置２０の態様は、タブレット端末に限定されず、例えば、所定の位置に固定された専用端末であってもよい。なお、本実施形態の重勝式レース結果表示装置２０は、後述するように、結果表示画面の表示を制御することから、本実施形態の重勝式レース結果表示装置２０は、重勝式レース結果表示制御装置ということができる。
【００１７】
本実施形態の重勝式レース結果表示装置２０は、装置を利用する投票者を識別するための識別情報を認識しているものとする。重勝式レース結果表示装置２０は、例えば、装置を利用する投票者が会員番号やカード番号を入力することにより、投票者の識別情報を認識してもよい。また、重勝式レース結果表示装置２０は、例えば、投票者が携帯する所定の媒体（カードなど）に記憶された情報を読み取って、投票者の識別情報を認識してもよい。
【００１８】
また、重勝式レース結果表示装置２０は、実際の投票処理を行う投票処理システム１００に接続される。投票処理システム１００は、各種入力手段より入力される投票内容を集計し、オッズや払戻金などを算出する。
【００１９】
投票処理システム１００は、制御部１０１と、記憶部１０２とを含む。制御部１０１は、例えば、プログラムに従って動作するコンピュータのＣＰＵによって実現される。また、記憶部１０２は、例えば、磁気ディスク等により実現される。
【００２０】
制御部１０１は、重勝式レースに投票された投票数と、確定したレースまで投票内容が一致している全ての投票数（以下、全残票数と記す。）とを算出する。制御部１０１は、算出した投票数および全残票数を記憶部１０２に記憶させる。また、制御部１０１は、重勝式レースにおいて確定した各レースのレース結果も記憶部１０２に記憶させる。
【００２１】
また、制御部１０１は、少なくとも、対象とする重勝式レースの投票数、重勝式レースにおいて確定した各レースのレース結果、および、全残票数を重勝式レース結果表示装置２０に送信する。制御部１０１は、レースが確定するごとにこれらの情報を重勝式レース結果表示装置２０に送信してもよく、重勝式レース結果表示装置２０からの要求に応じてこれらの情報を送信してもよい。
【００２２】
例えば、競馬において、対象とする重勝式レースが３重勝馬番連勝単式の場合、制御部１０１は、その重勝式レースの投票数、各レースの１着と２着の馬番号を含むレース結果、および、確定したレースまで投票内容が一致している全ての投票数（すなわち、全残票数）を重勝式レース結果表示装置２０に送信する。この場合、３レース分の１着と２着の馬番号が全て一致する投票券が勝馬投票券になる。
【００２３】
また、制御部１０１は、重勝式レースの最終レース結果が確定したときに、重勝式レース結果に対する払戻金情報を算出し、重勝式レース結果表示装置２０に送信する。
【００２４】
本実施形態の重勝式レース結果表示装置２０は、出力部２１と、表示制御部２２と、情報入力部２３と、記憶部２４とを備えている。
【００２５】
記憶部２４は、本実施形態の重勝式レース結果表示装置２０が処理を行うために必要な各種情報を記憶する。また、記憶部２４は、投票者の投票履歴を、投票者の識別情報と対応させて記憶する。具体的には、記憶部２４は、重勝式レースの投票内容および投票数を投票者の識別情報と対応させて記憶する。例えば、３重勝馬番連勝単式の場合、記憶部２４は、３レース分の１着と２着の馬番号を示す投票内容とその投票数を、投票者の識別情報と対応付けて記憶してもよい。
【００２６】
また、記憶部２４は、投票者による入金情報や残高を記憶していてもよい。記憶部２４は、入金情報や残高を、例えば、投票を受け付ける装置（図示せず）から受信して記憶してもよい。記憶部２４は、例えば、磁気ディスク等により実現される。
【００２７】
出力部２１は、重勝式レースの結果を表示する結果表示画面を表示する表示装置である。また、出力部２１は、結果表示画面に対する投票者からの入力指示を受け付けてもよい。出力部２１は、例えば、タッチパネルにより実現される。結果表示画面の表示は、後述する表示制御部２２により指示され、出力部２１は、その指示に基づいて結果表示画面を表示する。
【００２８】
情報入力部２３は、対象とする重勝式レースにおいて確定した各レースのレース結果と、全残票数とを投票処理システム１００から受信し、重勝式レース結果表示装置２０に入力する。また、情報入力部２３は、対象とする重勝式レースの投票数を投票処理システム１００から受信して重勝式レース結果表示装置２０に入力してもよい。
【００２９】
また、情報入力部２３は、重勝式レースの最終レース結果が確定したとき、重勝式レース結果に対する払戻金情報を投票処理システム１００から受信して重勝式レース結果表示装置２０に入力してもよい。
【００３０】
表示制御部２２は、あるレース結果が確定すると、確定したレース結果を含む結果表示画面の表示を出力部２１に対して指示する。表示制御部２２は、例えば、レース結果が確定するごとに、結果表示画面の表示を出力部２１に対して指示してもよい。なお、以下の説明では、表示制御部２２が出力部２１に対して結果表示画面の表示を指示することを、表示制御部２２が出力部２１に表示する、と記す。すなわち、表示制御部２２は、重勝式レースの途中経過として、それまでに確定したレース結果を出力部２１に表示する。表示制御部２２は、例えば、投票処理システム１００から確定した各レースのレース結果を受信したときにレースが確定したと判断してもよい。
【００３１】
具体的には、表示制御部２２は、あるレース結果が確定すると、重勝式レースの途中経過として、確定したレースのレース結果およびレースの確定時点における投票者の残票状況を出力部２１に表示する。また、表示制御部２２は、確定したレースまで投票内容が一致している全ての投票数（すなわち、全残票数）を併せて表示してもよい。
【００３２】
ここで、投票者の残票状況とは、確定したレースまで投票内容が一致している投票（以下、残票と記す。）の有無、残票の数、および、残票のうち残りの投票内容を示す情報の少なくとも１つ以上を含む。
【００３３】
例えば、３重勝式レースにおいて２レース目までレースが確定している状況で、２レース目まで投票内容が一致している投票が存在するとする。このとき、表示制御部２２は、残票が存在することを示す情報、残票の数、投票者が残り１レースに対して投票した投票内容を表示してもよい。
【００３４】
表示制御部２２は、記憶部２４に記憶された情報を参照し、投票者を識別する識別情報と対応付けられた投票履歴に基づいて、レースの確定時点における投票者の残票状況を算出する。表示制御部２２は、少なくとも一つの確定したレースのレース結果と、確定したレースまでの範囲で投票者の投票内容が一致する投票履歴を抽出することにより、投票者の残票の有無や残票の数を算出したり、残票のうち残りの投票内容を特定したりしてもよい。
【００３５】
また、表示制御部２２は、重勝式レースの最終結果として、確定したレースのレース結果、的中した全投票数、投票者の残票の数および重勝式レース結果に対する払戻金情報を出力部２１に表示する。投票者の残票の数を算出する方法は、途中経過における投票者の残票の数を算出する方法と同様である。
【００３６】
表示制御部２２は、重勝式レース結果に対する払戻金情報として、１口あたりの払戻金を表示してもよく、投票者に対する払戻金の総額を表示してもよい。また、記憶部２４に投票者の残高が記憶されている場合、表示制御部２２は、残高に投票者の払戻金を加算した値を表示してもよい。
【００３７】
図２は、結果表示画面の例を示す説明図である。図２に示す例は、重勝式レースとして、３重勝馬番連勝単式の途中経過が表示され、２レースまでレース結果が確定している状況を示す。
【００３８】
また、図２に示す例では、重勝レースの対象となるレース（本例では、第１０レースから第１２レースまで）ごとにレース結果５１（レースの確定結果、または、未確定）と、各レースまでの全残票数５２とが表示されている。また、図２に示す例では、確定しているレースまでの投票者の残票の数５３が表示されている。
【００３９】
また、図２に例示するように、結果表示画面には、重勝式レースのキャリーオーバー額６１や、発売口数６２、投票者の残高６３などが表示されていてもよい。
【００４０】
図３は、結果表示画面の他の例を示す説明図である。図３に示す例は、重勝式レースの最終レースまでレースが確定し、投票者の残票の数が１である状況を示す。図３に例示する結果表示画面には、投票者が勝馬投票券を有することを示すメッセージ６４が残票の数と共に表示され、また、投票者への払戻金６５が表示されていることを示す。また、表示制御部２２は、図３に例示するように、投票者の残高６３に払戻金６５を加算した額を表示してもよい。また、表示制御部２２は、残票が存在する場合、メッセージ６４とともに、またはメッセージ６４に替えて、残票が存在することが分かる態様（例えば、色を変える、点滅させる、など）でその旨を表示してもよい。
【００４１】
なお、図２および図３に示す例では、レース結果５１を１つのみ表示する領域が設けられているが、同着の存在を考慮し、結果表示画面は、複数のレース結果５１が表示できる領域が設けられていてもよい。
【００４２】
また、本実施形態の説明では、重勝式レースとして、３重勝馬番連勝単式を例示したが、重勝式レースのレース数は、３レースに限られず、また、勝馬投票法も、任意の基本勝馬投票法が適用可能である。また、本実施形態では、公営競技として競馬を例示した。ただし、本実施形態の重勝式レース結果表示装置２０が用いられる公営競技は、競馬に限定されず、他の公営競技（競輪、ボートレース、オートレース）であってもよい。
【００４３】
表示制御部２２と、情報入力部２３とは、プログラム（重勝式レース結果表示制御プログラム）に従って動作するコンピュータのＣＰＵによって実現される。例えば、プログラムは、重勝式レース結果表示装置２０の記憶部２４に記憶され、ＣＰＵは、そのプログラムを読み込み、プログラムに従って、表示制御部２２及び情報入力部２３として動作してもよい。また、表示制御部２２と、情報入力部２３とは、それぞれが専用のハードウェアで実現されていてもよい。
【００４４】
また、図１に例示するように、重勝式レース結果表示装置２０と投票処理システム１００とが連携して投票結果の表示を制御することから、重勝式レース結果表示装置２０と投票処理システム１００とを含むシステムを、投票結果表示制御システムということができる。
【００４５】
次に、本実施形態の重勝式レース結果表示装置２０の動作を説明する。図４は、本実施形態の重勝式レース結果表示装置２０の動作例を示すフローチャートである。本動作例では、投票者の投票履歴がすでに記憶部２４に記憶されているとする。また、重勝式レース結果表示装置２０の表示制御部２２は、投票処理システム１００からレース結果が送信されたときに、各レースが確定したと判断するものとする。
【００４６】
投票処理システム１００の制御部１０１は、対象とする重勝式レースで投票された投票数を重勝式レース結果表示装置２０に送信する（ステップＳ２１）。
【００４７】
また、制御部１０１は、対象とする重勝式レースのレース結果が確定すると、確定したレースのレース結果および確定したレースまでの全残票数を重勝式レース結果表示装置２０に送信する（ステップＳ２２）。
【００４８】
情報入力部２３は、確定したレースのレース結果と全残票数とを投票処理システム１００から受信し、重勝式レース結果表示装置２０に入力する（ステップＳ２３）。
【００４９】
表示制御部２２は、確定したレースのレース結果および全残票数を出力部２１に表示する（ステップＳ２４）。また、表示制御部２２は、記憶部２４に記憶された投票者の投票履歴に基づいて、レースが確定した時点における投票者の残票状況を表示する（ステップＳ２５）。
【００５０】
表示制御部２２は、重勝式レースの全てのレースが確定したか否か判断する（ステップＳ２６）。全てのレースが確定していないと判断した場合（ステップＳ２６におけるＮｏ）、重勝式レース結果表示装置２０は、ステップＳ２２以降の処理を繰り返す。
【００５１】
一方、全てのレースが確定したと判断した場合（ステップＳ２６におけるＹｅｓ）、情報入力部２３は、最終レースまで確定した重勝式レースのレース結果に対応する払戻金情報を入力する（ステップＳ２７）。情報入力部２３は、投票処理システム１００に払戻金情報を要求してもよいし、最終レースの確定情報と共に入力される払戻金情報を投票処理システム１００から受信して、重勝式レース結果表示装置２０に入力してもよい。
【００５２】
表示制御部２２は、重勝式レースのレース結果に一致する投票履歴が投票者の投票履歴に存在するか否か判断する（ステップＳ２８）。レース結果に一致する投票履歴が存在しない場合（ステップＳ２８におけるＮｏ）、表示制御部２２は、処理を終了する。このとき、表示制御部２２は、レース結果に一致する投票履歴が存在しない旨の投票結果を表示してもよい。
【００５３】
一方、レース結果に一致する投票履歴が存在する場合（ステップＳ２８におけるＹｅｓ）、表示制御部２２は、入力された払戻金情報から投票者の払戻金を算出して、出力部２１に表示する（ステップＳ２９）。また、表示制御部２２は、レース結果に一致する投票履歴が存在する旨を出力部２１に表示してもよい。
【００５４】
以上のように、本実施形態では、表示制御部２２が、あるレース結果が確定すると、少なくとも一つの確定したレースのレース結果およびレースに投票をする投票者を識別する識別情報と対応付けられた投票履歴から、レースの確定時点における投票者の残票状況を算出する。そして、表示制御部２２が、確定したレースのレース結果及び投票者の残票状況の表示を出力部２１に対して指示する。
【００５５】
そのような構成により、重勝式レースに対して多くの投票を行った投票者が投票結果を確認する労力を低減させることができ、投票者の投票結果への期待感を向上させることができる。
【００５６】
例えば、一般的な重勝式では、最終レースが確定した後で投票券を処理システムに投入して確認、もしくはシステムにログインして個人の結果を確認することで、自身の的中結果を把握できる。しかし、個々のレース結果を確認しない限り、最終レースが確定するまでは、自身の的中結果が把握できないため、投票結果への期待感を向上させることは困難であった。
【００５７】
また、特許文献１に記載されているように、重勝式レースの途中経過として残りの全ての投票内容を表示することも考えられる。しかし、重勝式レースの組み合わせが増大すると、全ての投票内容の中から所望のレース結果を参照する労力も増大してしまう。
【００５８】
しかし、本実施形態では、表示制御部２２が、投票者が投票した対象に絞って残票数等を表示する。そのため、投票者が投票結果を確認する労力を低減させつつ、投票者の投票結果への期待感を向上させることができる。
【００５９】
また、マークカードを利用した一般的な投票方法では、投票者と対応付けられた投票履歴は保持されていないため、投票者ごとの投票結果を出力することは困難であった。しかし、本実施形態では、投票者の識別情報と対応付けられた投票履歴を記憶部２４が保持するため、投票者ごとに投票結果を集計できる。よって、個々のレース確定後リアルタイムに、その投票者の残票数を表示できるため、投票者の投票結果への期待感を向上させることができる。
【００６０】
次に、本実施形態の変形例を説明する。上記実施形態では、出力部２１が重勝式レース結果表示装置２０と一体になっている場合を例示したが、出力部２１が重勝式レース結果表示装置２０とは別の装置で実現されていてもよい。
【００６１】
図５は、第１の実施形態の重勝式レース結果表示装置の変形例を示すブロック図である。図５に例示する重勝式レース結果表示装置２０ａは、表示制御部２２ａと、情報入力部２３と、記憶部２４とを備えている。情報入力部２３および記憶部２４の内容は、第１の実施形態と同様である。
【００６２】
重勝式レース結果表示装置２０ａは、表示装置２１ａに接続される。表示装置２１ａは、上記実施形態の出力部２１に相当し、結果表示画面を表示する。表示制御部２２ａは、確定したレースのレース結果及び投票者の残票状況の表示を表示装置２１ａに対して指示する。なお、表示する指示の内容は、上記実施形態と同様である。
【００６３】
以上のような構成によっても、重勝式レースに対して多くの投票を行った投票者が投票結果を確認する労力を低減させることができ、投票者の投票結果への期待感を向上させることができる。例えば、本変形例のように、表示内容を制御する重勝式レース結果表示装置２０ａと、結果表示画面を表示する表示装置２１ａとを別に設ける構成にすることで、投票用の専用端末に対してだけでなく、個人のポータブル端末に対しても結果表示画面を表示することが可能になる。
【００６４】
次に、本実施形態の他の変形例を説明する。上記実施形態では、重勝式レース結果表示装置２０の記憶部２４が投票者の投票履歴を保持する場合について説明した。一方、記憶部２４が投票者の投票履歴を保持する代わりに、投票処理システム１００の記憶部１０２が投票者の識別情報と対応させて投票履歴を保持していてもよい。
【００６５】
この場合、投票者が重勝式レース結果表示装置２０に対して自身の識別情報を入力すると、情報入力部２３は、投票処理システム１００に対して、投票者の投票履歴を要求する。投票処理システム１００が投票履歴の要求を受信すると、制御部１０１は、投票者の識別情報に基づいて、記憶部１０２に記憶された投票者の投票履歴を抽出し、重勝式レース結果表示装置２０に返信する。
【００６６】
情報入力部２３は、投票者の投票履歴を投票処理システム１００から受信して重勝式レース結果表示装置２０に入力すると、表示制御部２２は、受信した投票履歴に基づいて投票者の残票状況を表示する。
【００６７】
このような構成によっても、重勝式レースに対して多くの投票を行った投票者が投票結果を確認する労力を低減させることができ、投票者の投票結果への期待感を向上させることができる。特に、投票者の投票履歴を投票処理システム１００で保持することにより、投票者は、投票を行った端末と、投票結果を参照する端末とが異なっている場合でも、自身の投票結果を確認することができる。
【００６８】
なお、本変形例では、投票処理システム１００が投票者の投票履歴を保持している場合について説明したが、投票履歴を保持するシステムは、投票処理システム１００に限定されない。投票履歴の取得要求に応じて投票履歴を返信できる装置またはシステムであれば、任意の装置またはシステムが投票履歴を保持していてもよい。
【００６９】
次に、本発明の概要を説明する。図６は、本発明による重勝式レース結果表示制御装置の概要を示すブロック図である。本発明による重勝式レース結果表示制御装置は、重勝式レースの結果を表示するための表示装置（例えば、出力部２１、表示装置２１ａ）の制御を行う重勝式レース結果表示制御装置８０（例えば、重勝式レース結果表示装置２０、重勝式レース結果表示装置２０ａ）であって、あるレース結果が確定すると、少なくとも一つの確定したレースのレース結果およびレースに投票をする投票者を識別する識別情報と対応付けられた投票履歴から、レースの確定時点における投票者の残票状況を算出する残票状況算出部８１（例えば、表示制御部２２）と、確定したレースのレース結果及び残票状況算出部８１が算出したその投票者の残票状況の表示を表示装置に対して指示する表示指示部８２（例えば、表示制御部２２）とを備えている。
【００７０】
そのような構成により、重勝式レースに対して多くの投票を行った投票者が投票結果を確認する労力を低減させることができ、投票者の投票結果への期待感を向上させることができる。
【００７１】
また、表示指示部８２は、確定したレースまで投票内容が一致している全ての投票数である全残票数の表示を表示装置に対して指示してもよい。
【００７２】
また、表示指示部８２は、投票者の残票状況として、確定したレースまで投票内容が一致している投票を示す残票の有無、残票の数、および、残票のうち残りの投票内容を示す情報の少なくとも１つ以上の情報の表示を表示装置に対して指示してもよい。
【００７３】
また、表示指示部８２は、重勝式レースのレース結果に一致する投票履歴が投票者の投票履歴に存在する場合、最終レースまで確定した重勝式レースのレース結果に対応する払戻金情報からその投票者の払戻金を算出して、その払戻金の表示を表示装置に対して指示してもよい。そのような構成によれば、投票者は、最終レースが確定したタイミングで払戻金を即座に把握できる。
【００７４】
また、表示指示部８２は、算出された払戻金の額を投票者の有する残高に加算して表示する指示を表示装置に対して行ってもよい。そのような構成によれば、投票者は、自身の残高も最終レースが確定したタイミングで即座に把握できる。
【００７５】
また、表示指示部８２は、他の装置から受信した投票者の投票履歴に基づいて、その投票者の残票状況を表示する指示を表示装置に対して行ってもよい。そのような構成によれば、投票者は、投票を行った端末と、投票結果を参照する端末とが異なっている場合でも、自身の投票結果を確認することができる。
【００７６】
また、図７は、本発明による投票結果表示制御システムの概要を示すブロック図である。本発明による投票結果表示制御システムは、重勝式レースの結果を表示するための表示装置（例えば、出力部２１、表示装置２１ａ）の制御を行う重勝式レース結果表示制御装置８０と、投票処理を行う投票処理システム９０（例えば、投票処理システム１００）とを備えている。
【００７７】
投票処理システム９０は、対象とする重勝式レースにおいて確定したレースのレース結果と、その確定したレースまで投票内容が一致している全ての投票数である全残票数とを重勝式レース結果表示制御装置８０に送信する制御部９１（例えば、制御部１０１）を含む。
【００７８】
なお、重勝式レース結果表示制御装置８０の内容は、図６に例示する重勝式レース結果表示制御装置８０の内容と同様である。
【００７９】
このような構成によっても、重勝式レースに対して多くの投票を行った投票者が投票結果を確認する労力を低減させることができ、投票者の投票結果への期待感を向上させることができる。
【産業上の利用可能性】
【００８０】
本発明は、公営競技における重勝式レースの結果を表示する重勝式レース結果表示装置に好適に適用される。
【符号の説明】
【００８１】
２０，２０ａ  重勝式レース結果表示装置
２１  出力部
２１ａ  表示装置
２２，２２ａ  表示制御部
２３  情報入力部
２４  記憶部
１００  投票処理システム
１０１  制御部
１０２  記憶部
【図１】
2016110190.tif 000003
【図２】
2016110190.tif 000004
【図３】
2016110190.tif 000005
【図４】
2016110190.tif 000006
【図５】
2016110190.tif 000007
【図６】
2016110190.tif 000008
【図７】
2016110190.tif 000009